(57)【要約】【課題】ボールがクラブフェースに当ったときのフェース角度のずれに打ったボールの方向性が大きく左右されるという欠点をなくし、打ったボールがピンに向かう移動方向の方向性を持つことにより、狙った方向にコントロールし易いゴルフクラブを提供することにある。【解決手段】金属材料で出来ている金属ヘッド部１と、１に固定されているカーボンファイバーで出来ているシャフト部２と、バトミントンのラケット用に使われるテフロン（登録商標）製の強い糸であるガットを張った打球フェース面３とに金属ヘッド部１フェース側の前後に固定されており、ガットを張った打球フェース面３と金属ヘッド部１との間のギャップを作るための金属で出来ているギャップ用駒１２とで構成され、ガット１５を張った打球フェース面３はガット１５を前後方向で上下に一定の張力で、金属ヘッド部１に面状に張られる。【選択図】図１
2007117474.tif 000002
【特許請求の範囲】
【請求項１】
シャフト部と、該シャフト部の先端に取り付けた金属ヘッド部とを備えたゴルフ用のパタークラブにおいて、
前記金属ヘッド部に、打球時の前面側に前後方向にギャップ部を介して張力の収縮力でボールを捕らえて反発する複数のガットが整列されて張られ、打球フェース面が形成されること
を特徴とするゴルフクラブ。
【請求項２】
請求項１において、前記金属ヘッド部に一体化されて一部をなし、内部に前記ギャップを形成する窪みあるいは孔を形成するギャップ駒部を備えて、該ギャップ駒部に前記ガットが張られて打球フェース面が形成されることを特徴とするゴルフクラブ。
【請求項３】
請求項１または２において、前記金属ヘッドの裏面側に、前記ガットの張力を調整する張力調整ハンドルが設けられることを特徴とするゴルフ用のパタークラブ。
【請求項４】
請求項１から３のいずれかにおいて、前記ガットは、ガットで編まれた布の前後方向に整列させて張られたガットであることを特徴とするゴルフクラブ。
【請求項５】
請求項３において、前記張力調整ハンドルの張力を緩めることによって前記打球フェース面を前記金属ヘッド部から取り外し可能であることを特徴とするゴルフクラブ。
【請求項６】
請求項１から５のいずれかにおいて、前記打球フェース面は、前記金属ヘッド部の上下方向全域に亘って形成してあることを特徴とするゴルフクラブ。
【請求項７】
シャフト部と、該シャフト部の先端に取り付けた金属ヘッド部とを備えたゴルフ用のパタークラブにおいて、
前記金属ヘッド部に、打球時の前面側に前後方向にガットが整列されて張られ、無拘束の打球フェース面が形成されること
を特徴とするゴルフクラブ。
【発明の詳細な説明】
【技術分野】
【０００１】
本発明は、ゴルフクラブに関し、特にパタークラブあるいはアプローチクラブに関する。
【背景技術】
【０００２】
周知のように、パタークラブは、ヘッドにグリーン上にて最も大切な方向性をコントロールするヘッドフェースを持っている。また、アプローチクラブにあっても同様である。
【０００３】
パタークラブのヘッドフェース面にウレタンやポリマーをインサートし、ボールを打った時にヘッドフェース面のウレタンやポリマーの収縮力により、ソフトな球打感と打ったボールがパターのピンに向かう方向性を狙った「パタークラブ」が市販されている。
【０００４】
特許文献１には、フェース版およびパター主体により構成されるゴルフパターヘッドの構造であって、上記フェース版にはネットと充填板が含まれ、上記ネットは上記充填板の中に埋め込まれて上記フェース板の構造の強度を高めることができ、上記パター主体には収容室が形成され、上記収容室は上記ネットを収容するのに用いられると共に、上記収容室に充填物を注入することによって上記充填板が形成され、上記パター主体が打球した時、上記フェース板が受けた衝撃力は上記ネットによって横方向へ拡散してパター主体まで伝達されることにより、上記充填板の不均一な弾力性変形を減らすようにしたゴルフパターヘッドの構造が記載されている。類似の構成を示すものとして特許文献２あるいは特許文献３に示すものがある。
【０００５】
【特許文献１】実用新案登録第３０９３４５０号公報
【特許文献２】実開昭６０−６１０６１号公報
【特許文献３】実開昭６１−２２７５号公報
【発明の開示】
【発明が解決しようとする課題】
【０００６】
従来のパタークラブにあっては、ヘッドフェース面のウレタンやポリマーの収縮力が小さいため、ボールがヘッドフェースに当ったときのフェース角度に打ったボールの方向性が大きく左右され、パタークラブのピンに向かう移動方向とずれた方向に、ボールが向かってしまうという問題がある。ヘッドフェース面にウレタンやポリマーをインサートされていないパタークラブでは、パタークラブフェース面材料の金属や木の更に小さな収縮力しかないため、ボールがフェースに当ったときのフェース角度のずれに打ったボールの方向性が大きく左右されるという問題がある。いずれの従来例にあってもヘッドフェース面の収縮力には大きな限界があるか、まったく収縮力がなくボールがヘッドフェースに当った時のフェース角度に大きく依存してボールの方向性が定まるものであった。
【０００７】
本発明は、ボールがクラブフェースに当ったときのフェース角度のずれに打ったボールの方向性が大きく左右されるという欠点をなくし、打ったボールがピンに向かう移動方向の方向性を持つことにより、狙った方向にコントロールし易いゴルフクラブを提供することを目的とする。
【課題を解決するための手段】
【０００８】
本発明は、シャフト部と、該シャフト部の先端に取り付けた金属ヘッド部とを備えたゴルフ用のパタークラブにおいて、
前記金属ヘッド部に、打球時の前面側に前後方向にギャップ部を介して張力の収縮力でボールを捕らえて反発する複数のガットが整列されて張られ、打球フェース面が形成されること
を特徴とするゴルフクラブを提供する。
【０００９】
また、本発明は、シャフト部と、該シャフト部の先端に取り付けた金属ヘッド部とを備えたゴルフ用のパタークラブにおいて、
前記金属ヘッド部に、打球時の前面側に前後方向にガットが整列されて張され、無拘束の打球フェース面が形成されること
を特徴とするゴルフクラブを提供する。
【発明の効果】
【００１０】
本発明によれば、従来のパタークラブにおける「ボールが金属などの硬い（反発係数の大きい）クラブフェースに当ったときのフェース角度のずれに打ったボールの方向性が大きく左右される」という欠点をなくし、ボールを打った時ヘッドの該「ガットを張ったフェース面」の張力の収縮力でボールを長く捕らえられて、すなわちボールに接触するヘッドフェース面の面積を大きくすることにより打ったボールが「ピンに向かうパタークラブ」の移動方向の方向性を持ち、狙った方向にコントロールし易くすることができるという効果がある。また、張力調整機構を備えて、「ガットを張ったフェース面」の張力を調整できるようにしたガット使用のゴルフクラブによれば、「ガットを張ったフェース面」の張力をゴルフプレイ日の天候あるいはグリーンの状態に対応して調整できるので、最適な「ガットを張ったフェース面」の張力の収縮力でボールを長く捕らえることにより、打ったボールが「ピンに向かうパタークラブ」の移動方向の方向性を持ち、狙った方向にコントロールし易くすることができるという効果がある。
【発明を実施するための最良の形態】
【００１１】
本発明の実施例は上述のゴルフクラブであって、以下に示すゴルフクラブを構成する。特に本発明はパターゴルフクラブあるいはアプローチゴルフクラブに最適に適用される。
【００１２】
前記金属ヘッド部に一体化されて一部をなし、内部に前記ギャップを形成する窪みあるいは孔が形成されたギャップ駒部を備えて、該ギャップ駒部に前記ガットが張られて打球フェース面が形成されることを特徴とするゴルフクラブ。
【００１３】
前記金属ヘッドの裏面側に、前記ガットの張力を調整する張力調整ハンドルが設けられることを特徴とするゴルフ用のパタークラブ。
【００１４】
本発明は、ガットで編まれた布の前後方向に整列させて張られたガットであることを特徴とするゴルフクラブ。
【００１５】
前記張力調整ハンドルの張力を緩めることによって前記打球フェース面を前記金属ヘッド部から取り外し可能であることを特徴とするゴルフクラブ。
【００１６】
前記打球フェース面は、前記金属ヘッド部の上下方向全域に亘って形成してあることを特徴とするゴルフクラブ。
【００１７】
以下、本発明の実施例を図面に基づいて説明する。
【実施例１】
【００１８】
図１から図９は、本発明の実施例１を説明する図面である。図１は、側方から見た斜視図であり、図２は前方から見た斜視図であり、図３から図５は本実施例の構成方法を示す図であり、図６は側方からの側面図であり、図７は前方からの立面図であり、図８は図７のＡ部拡大図であり、図９は本実施例の機能を示す図である。以下の実施例では対象のゴルフクラブの金属ヘッド部に、ガットを張った打球フェース面を使用するのでガットクラブと称する。特に、ガットクラブはパタークラブあるいはアプローチクラブに最適に適用されるが、以下の実施例にあってはパタークラブに適用された例について説明する。この場合に、パタークラブについてはガットパタークラブと称する。従って、アプローチクラブについてはガットアプローチクラブと称されることになる。
【００１９】
本実施例のガットパタークラブ１００は、図１および図２に示すように、金属材料で出来ている金属ヘッド部１と、金属ヘッド部１に固定されている金属あるいはカーボンファイバーで出来ているシャフト部２と、バトミントンのラケットに使用されているナイロンあるいはテフロン（登録商標）製の弾力のある強い糸であるガットを張って形成した打球フェース面３と、を有する。
【００２０】
本実施例の場合、金属ヘッド部１は本体ヘッド部１１とこの本体ヘッド部１１に適宜取り付けられて金属ヘッド部１を構成するギャップ用駒１２とから構成される。金属ヘッド１の方向および面について定義すると、シャフト部２を取り付けた部分（プレイヤー側）を後方方向とし、先端側を前方方向とし（すなわち、前後方向長手方向）、打球側を前面とし、反対側を裏面とし、打球フェース面の下端側を下側、上端側を上側とする（すなわち上下方向あるいは幅方向）。
【００２１】
ギャップ用駒１２は、前方方向の前部に設けた前ギャップ用駒１２Ａおよび後方方向の後部に設けた後ギャップ用駒１２Ｂからなる。本実施例の場合、前ギャップ用駒１２Ａと後ギャップ用駒１２Ｂを別体としているが一体ものとして構成してもよい。また、ギャップ用駒１２を本体ヘッド部１１に一体的に取り付けるようにしているが、当初から一体的ものとして製作することが可能であり、本発明にあっては両方を含めて金属ヘッド部１に一体されて一部をなし、打球フェース面が直接金属部に当たらないように保護する部分をギャップ用駒１２と称する。ギャップ用駒１２は本体ヘッド部１１の前面と共に窪み１３を形成し、この窪み１３は図３に示すように、打球フェース面３と本体ヘッド部１１、すなわち金属ヘッド部１の間にギャップを形成することになる。なお、窪みに代えて孔構成とすることも可能である。従って、ギャップを形成することになる部分をギャップ部１４と称する。
【００２２】
打球フェース面３は、図１，図２に示すように、本体ヘッド部１１、すなわち金属ヘッド部１に、打球時の前面側に前後方向にギャップ部１４を介して張力の収縮力でボール（ゴルフボール）を捕らえて反発するガット１５が複数本整列され、張られて構成される。
【００２３】
図３は、金属ヘッド部１に打球フェース面３を形成する方法について示す。図３に示すように、金属ヘッド部１は前面側にギャップ用駒１２Ａ，１２Ｂを備え、裏面側にガット押え部３４を有する。ギャップ用駒１２Ａ，１２Ｂは上下端に突起部３６（各２個）を有する。ガット押え部３４は幅３５の長さを有し、突起部３６は幅３７の長さを有し、各幅はガット１５の厚さに比較して同等もしくは長短とされる。ガット押え部３４，突起部３６によって窪み形状のガット保持部（溝フェース面押え部でもある）３８，３９が形成され、ガット１５が金属ヘッド部１から除かれないようにされる。
【００２４】
打球フェース面３は、打球フェース部３００から形成される。打球フェース部３００は、ボールの当る打球フェース面３と、打球フェース面を直角に後方に曲げた側面フェース面３Ａと側面フェース面３Ａの端部を保持するフェース保持部３１（３１Ａ，３１Ｂ）とからなる。
【００２５】
打球フェース部３００は金属ヘッド部１のガット保持部３８，３９に収納され、フェース保持部３１の近傍の側面フェース面３Ａ，３Ｂの一部が内方に折り曲げられる。この状態を図４に示す。
【００２６】
図４において、フェース保持部３１は金属ヘッド部１の表面に接触状態とされ、フェース保持部３１に設けた前後方向に長くした孔４１を介してビス３６（３６Ａ，３６Ｂ，３６Ｃ，３６Ｄ）によって張力調整後ビス止めされる。
【００２７】
図５は、フェース保持部３１の詳細を示す。側面フェース面３Ａを構成する各ガット１５はフェース保持部３１に設けた孔４２を貫通しており、その終端は終端止め４３とされ、フェース保持部３１に保持される。孔４１および孔４２は直交する方向にずれた位置に設けられる。
【００２８】
図６は、以上説明したようにして打球フェース部３００、すなわち打球フェース面３を金属ヘッド部１に取り付けた状態を示す。打球フェース面３はギャップ１４を置いて金属ヘッド部に取り付けられる。
【００２９】
図７は、ガット１５によって構成された打球フェース面３を示す。打球フェース面３はボールの当たる全域がガット１５によって構成され、金属面は現われていない。
【００３０】
図８に示すように、複数本のガット１５は前後方向にわずかな隙間１６を置いて規則正しく配置され、配設される。図８の例では隙間１６を設けているが、隣接するガット１５同士が接触する構造であっても構わない。ガット５の張り方は一重のみでなく、多重にしてもよい。
【００３１】
図１−８に示すように、ガット１５はギャップ用駒１２の表面および本体ヘッド部１１の前方面、後方面に亘って回され、貼り付け固定され、張力が付与される。このようにして張力が打球フェース面３から形成されることになる。この場合に打球フェース面３は、金属ヘッド部１の上下方向全域に亘って形成される。これはボールを金属面でショットしないためである。
【００３２】
このようにして、金属ヘッド部１に、打球時の前面側に前後方向にギャップ部１４（ギャップ）を介して張力の収縮力でボールを捕らえて反発する複数のガット１５が整列されて打球フェース面３が形成されることになる。
【００３３】
このことを別に表現すれば、金属ヘッド部１に、打球時の前面側に前後方向にガット１５が整列されて張られ、無拘束の打球面、すなわち打球フェース面３が形成されるということになる。ここで、無拘束であるとは打球したときに加わった力に対応して自己の、すなわちガット１５の張力のみによってボールを捕えて反発することをいう。従って、打球フェース面の全域に亘って無拘束にしてガット１５を金属ヘッド部１に取り付けている。
【００３４】
図９は打球フェース面３がボール８０に当った状態を示す。従来のゴルフクラブであるとゴルフクラブの有する打球のためのエネルギー７０は直接ボール８０に与えられる。これに対して本実施例のゴルフクラブ１００であると、打球のためのエネルギー７０はギャップ駒１２、更には打球フェース面３を介してボール８０に与えられる。この場合に打球フェース面３と金属ヘッド部１の対抗面との間にはギャップが形成され、かつ打球フェース面３はガット１５によって形成されているために打球時に打球フェース面３はボール３０を捕らえた形となって幾分後方に押され、しなる。打球フェース面３はギャップのために無拘束であるので、押された時に広面積（広領域）で、例えばボール上の複数のデンブルの大きさ以上の面積でボール８０に接触し、収縮力の反発によってボール８０を押すことになる。すなわちボール８０には直線方向に作用する中心の力７１に加えてその側方からボール８０の中心０に向けて周囲の力である右の力７２および左の力である７３が作用することになる。このように、中心の力７１および左右の力７２，７３の働きによってボール方向８５が定まり、ボール８０はコントロールされた方向が与えられてころがることになる。
【００３５】
このように、ボールを打った時ヘッドの該ガット１５を張ったガットフェース面３の広領域でボール８０に接触し、張力の収縮力によりガットフェース面３はピン８５と反対方向にしなり、ボール８０への圧力はガットフェース面３のしなりでピン８５方向の「中心の力７１」、「右の力７２」」、「左の力７３」が働く、また張力の収縮力でボールを長く捕らえられることにより、打ったボール８０が「ピン８６に向かうパタークラブ１００」の移動方向７０の方向性を持ち、狙った方向にコントロールし易くすることができるという効果が構成される。
【００３６】
以上のように、ガット１５は、金属ヘッド部１に形成されたギャップ部１４のフェース側の前後方向に固定されており、ガット１５を張った打球フェース面３と金属ヘッド部１との間にギャップを作るための金属で出来ているギャップ用駒１２の１２Ａおよび、ギャップ用駒１２の１２Ｂとで構成され、ガット１５を張った打球フェース面３は図１−図９に示すようにガット５を前後方向で上下方向に一定の張力で、ギャップ用駒１２の固定された金属ヘッド部１に面状に張ることで打球フェース面３が形成されている。
【００３７】
金属ヘッド部１との間にギャップを持たせて、面状に一定の張力でガット５を張った打球フェース面３を持つガットパタークラブとすることで、従来のパタークラブにおける「ボールが金属などの硬い（反発係数の大きい）フェースに当ったときのフェース角度のずれに打ったボールの方向性が大きく左右される」という欠点をなくし、ボールを打った時ヘッドの該ガット１５を張ったフェース面の広領域でボールに接触し、張力の収縮力でボールを長く捕らえられることにより、打ったボールが「ピンに向かうパタークラブ」の移動方向の方向性を持ち、狙った方向にコントロールし易くすることができるという効果が構成される。
【００３８】
このように、本実施例のガットパタークラブは、ボールの当たる面が「ガットを張った面」で構成される打球フェース面３を備えた金属ヘッド部１を持ち、該「ガットを張った面」のガット５はボールを打つ構え時のパタークラブフェース面平行に前後方向に張られ、かつ該「前後方向に張られたガット」がパタークラブフェース面平行に上下方向に例えば多重に張られてフラットな面を形成され、該「ガットで張られた面」はボールを打ったときガットを固定するものとギャップを持ち、ボールを打った時ヘッドの該「ガットを張った面」の調整できる張力の収縮力でボールが捕らえられるため、打ったボールがピンに向かうパタークラブの移動方向の方向性を持つことが出来、狙った方向にボールをコントロールし易くすることが出来る。
【００３９】
ガット５には、天然ガットと合成繊維ガットがある。天然ガットは羊の粘膜や他の動物の腸から細いひもとして作られたものである。合成繊維ガットには、ナイロン、ポリエステル、ポリアミド、ケプラーなどから作られるものがあり、素材構成としてはモノフィラメントあるいはマルチフィラメント構成したものが知られている。ガットの大きさとしてはバトミントン用に使用されるガットの太さが最適に採用可能であり、従ってバトミントン用のガットがガットパタークラブとして最適に採用される。また、最近ではガットとして金属性のもの、あるいは超微細炭素素材を混合して製作したものが出現しており、本実施例にはこれらのガットも使用可能である。打球フェース３は、一本のガットによって１本巻きによって、もしくは巻き本数毎に別個のガットによって構成され得る。また、性質の異なるガットを混合して使用するようにしてもよい。
【００４０】
更に金属ヘッド部１は金属材料のほか石や木やカーボンファイバーなどの材料でも良い。シャフト部２はカーボンファイバーのほかスチールやボロン等シャフト材料でも良い。打球フェース面３はバトミントンのラケット用に使われるテフロン（登録商標）製の強い糸であるガットほかテニスラケット用のガットや金属線で作られても良い。金属線で製作すると、水を効果的に強くすることができる。ギャップ用駒１２は金属材料のほかの石や木やカーボンファイバーなどの材料で構成しても同様な効果がある。
【実施例２】
【００４１】
図１０から図１４は、本発明の他の実施例の構成を示す図である。実施例１と同一の構成については、同一の番号を付し、実施例１の説明を援用するものとし、実施例１にあって実施例２にはない図面は実施例１の図面を参照するものとする。以後の他の実施例についても同じである。図１０，図１１は、側方から見た斜視図で図１，図２に対応し、図１４は側方からの側面図で図６に対応する。
【００４２】
実施例１との違いは図１０，図１１に示すように、金属ヘッド部１フェース反対面である表面に、張力調整用ガット支え部２１と張力調整ハンドル２２で構成される張力調整機構２０を備え、張力調整用ガット支え部２１「ガットを張った打球フェース面３」を作るガット１５をギャップ用駒１２を保持するに際して金属ヘッド部１フェース反対面で支え、張力調整用ギャップをつくり、張力調整ハンドル２２をまわすことで「ガットを張った打球フェース面３」の張力を調整できるようにした点である。実施例によれば、「ガットを張った打球フェース面３」の張力をゴルフプレイ日のグリーンの状態に調整できるので、最適な「ガットを張った打球フェース面３」の張力の収縮力によりガットフェース面３は目標のピンと反対方向にしなり、ボールへの圧力がガットフェース面３のしなりで目標のピン方向への「中心の力７１」、「右の力７２」、「左の力７３」が働くこと、および張力の収縮力でボールを長く捕らえられることにより、打ったボール80が「ピン８６に向かうガットパタークラブ」の移動方向の方向性８５を持ち、狙った方向以上にコントロールし易くすることができるという効果がある。
【００４３】
図１２は金属ヘッド部１の表面中央部に張力調整機構２０を設けた状態を示す。この例の場合、フェース保持部３１（３１Ａ，３１Ｂ）は、ビス３６によって孔３８にビス止めされるに際しては張力調整機構２０による張力調整が行われた後に行なわれることになる。フェース保持部３１Ａ，３１Ｂ間に張力調整用ひも２３（２３Ａ，２３Ｂ）が設けてある。
【００４４】
図１３は、張力調整機構２０の詳細構造を示す。図１３において、張力調整機構２０は、張力調整用ガット支え部２１は両方向に内方に傾斜した面を有して、これらの面で張力調整用ひも２３を受けている。張力ハンドル２２は、ネジを切ったネジ部２２Ａ，ネジ部上方に設けられた上述の張力調整用ガット支え部２１を支持する円柱状の棒状のボルト部２２Ｂおよびこのボルト部２２Ｂに固定されたハンドル部２２Ｃから構成される。張力調整用ガット支え部２１は、円部に間隙が設けられた貫通孔が設けられていて移動自在とされている。ネジ部２２Ａのネジは本体ヘッド部１１に設けたネジ部２２Ｄのネジと噛合する。ハンドル２２Ｃを回転することによって張力調整用ガット支え部２１は上下に移動し、これによって張力調整用ひも２３の張力を緊張あるいは緩和させる。張力調整用ひも２３の張力の緊張あるいは移動に伴なってガット１５の緊張あるいは緩和がなされることになる。図１４は張力調整機構２０によって張力をガット１５に付与して打球フェース部３を形状した状態を示す。
【００４５】
図１０−図１４に示す例では張力調整機構２０を金属ヘッド部１の裏面側に設けたが、金属へッド部１を前後方向にくり抜いてここにガット１５を通し、張力調整ハンドル２２によって張力を調整するようにしても良い。このようにガット１５の一部を本体ヘッド部１１内に収納することによって見栄えのよいゴルフクラブとすることができる。
【実施例３】
【００４６】
図１５から図１９は、本発明のほかの実施例の構成を示す図である。図１５は図１に対応し、図１６は図２に対応し、図１７は図６に対応し、図１８は図７に対応し、図１９は図８に対応している。
【００４７】
本実施例では、ガット１５で編まれた布１６を使用して打球フェース面３を構成している。図１９はその構成を拡大して示す。布１６は先の実施例に示すガットと同方向に配置されるガット１５Ａとこれに対して横方向に配置されたガット１５Ｂから構成される。図では隙間がある例が表示してあるが、隙間をなくすようにすることができる。
【００４８】
実施例１との違いは図１５、図１６に示すように、「ガットを張った打球フェース面３」を構成する「ガット１５」の代わりにガットで編まれた布１６（ガット有）を張った「ガットで編まれた布を張った打球フェース面３」を持つようにした点である。本実施例によれば、「ガットを張った打球フェース面３」の張力と同様に、ガットで編まれた布を張った打球フェース面３の張力の収縮力でボールを長く捕らえられることにより、打ったボールが「ピンに向かうガットパタークラブ」の移動方向の方向性を持ち、狙った方向にコントロールし易くすることができるという効果がある。
【実施例４】
【００４９】
図２０および図２１は、本発明のほかの実施例の構成を示す図である。この例はアプローチゴルフクラブ２００を示しており、発明のコンセプトは実施例１と実質的に同一の構成となっているが、図２１に示すようにシャフト部２が実施例１に比べてロフトである角度α°だけ前方に傾斜していることが実施例と異なっている。
【００５０】
本実施例によれば、「ガットを張った打球フェース面３」の張力の収縮力でボールを長く捕らえられることにより、打ったボールが「ピン８６に向かうガットアプローチクラブ」の移動方向の方向性を持ち、狙った方向にコントロールし易くすることができるという効果がある。
【図面の簡単な説明】
【００５１】
【図１】本発明の実施例を側方から見た斜視図。
【図２】本発明の実施例を前方から見た斜視図。
【図３】本発明の実施例の構成・方法・部品を示す図。
【図４】本発明の実施例の構成・方法・部品を示す図。
【図５】図４の一部を拡大して示す斜視図。
【図６】本発明の実施例の側方からの側面図。
【図７】本発明の実施例の前方からの立面図。
【図８】図７のＡ部の拡大図。
【図９】打球フェース面の機能を説明する図。
【図１０】本発明の他の実施例を側方から見た斜視図。
【図１１】本発明の他の実施例を前方から見た斜視図。
【図１２】本発明の他の実施例の構成方法・部品を示す図。
【図１３】図１２の一部を拡大して示す図。
【図１４】本発明の実施例の側方からの側面図。
【図１５】本発明の他の実施例を側方から見た斜視図。
【図１６】本発明の他の実施例を前方から見た斜視図。
【図１７】本発明の他の実施例の側方からの側面図。
【図１８】本発明の他の実施例の前方からの立面図。
【図１９】図１８のＡ部拡大図。
【図２０】本発明の他の実施例を前方から見た斜視図。
【図２１】本発明の他の実施例の側方からの側面図。
【符号の説明】
【００５２】
１…金属ヘッド部、２…シャフト部、３…打球フェース面、１１…本体ヘッド部、１２…ギャップ用駒、１２Ａ…前ギャップ用駒、１２Ｂ…後ギャップ用駒、１３…窪み、１４…ギャップ部、１５…ガット、１６…ガット布、２０…張力調整機構、１００…ガットパタークラブ、２００…アプローチゴルフクラブ。
【図１】
2007117474.tif 000003
【図２】
2007117474.tif 000004
【図３】
2007117474.tif 000005
【図４】
2007117474.tif 000006
【図５】
2007117474.tif 000007
【図６】
2007117474.tif 000008
【図７】
2007117474.tif 000009
【図８】
2007117474.tif 000010
【図９】
2007117474.tif 000011
【図１０】
2007117474.tif 000012
【図１１】
2007117474.tif 000013
【図１２】
2007117474.tif 000014
【図１３】
2007117474.tif 000015
【図１４】
2007117474.tif 000016
【図１５】
2007117474.tif 000017
【図１６】
2007117474.tif 000018
【図１７】
2007117474.tif 000019
【図１８】
2007117474.tif 000020
【図１９】
2007117474.tif 000021
【図２０】
2007117474.tif 000022
【図２１】
2007117474.tif 000023